(57)【特許請求の範囲】
【請求項１】
両眼視差による立体映像を知覚させるための左眼用映像データと右眼用映像データとを取得するデータ取得部と、
取得された前記左眼用映像データを２回繰り返した左眼用映像データ列と、取得された前記右眼用映像データを２回繰り返した右眼用映像データ列とを交互に並べたシーケンシャルデータを生成すると共に、前記シーケンシャルデータに基づいて、シャッタ眼鏡の開閉を制御する制御信号を生成する映像生成部と、
前記シーケンシャルデータのうち、前記左眼用映像データおよび前記右眼用映像データの切り換えの後の１フレームに対応するフレームデータである対象データに対して、画質を低下させる処理を行う画質低下部と、
前記対象データの画質を低下させた後の前記シーケンシャルデータに基づく映像を表示する表示部と、
を備え、
前記映像生成部は、前記左眼用映像データ列に基づく映像が表示されている全期間、前記シャッタ眼鏡の左眼用シャッタを開、右眼用シャッタを閉とさせ、前記右眼用映像データ列に基づく映像が表示されている全期間、前記シャッタ眼鏡の左眼用シャッタを閉、右眼用シャッタを開とさせる前記制御信号を生成することを特徴とする立体映像表示装置。
【請求項２】
両眼視差による立体映像を知覚させるための左眼用映像データと右眼用映像データとを取得するデータ取得部と、
取得された前記左眼用映像データを２回繰り返した左眼用映像データ列と、取得された前記右眼用映像データを２回繰り返した右眼用映像データ列とを交互に並べたシーケンシャルデータを生成すると共に、前記シーケンシャルデータに基づいて、シャッタ眼鏡の開閉を制御する制御信号を生成する映像生成部と、
前記シーケンシャルデータのうち、前記左眼用映像データおよび前記右眼用映像データの切り換えの前の１フレームに対応するフレームデータである対象データに対して、画質を低下させる処理を行う画質低下部と、
前記対象データの画質を低下させた後の前記シーケンシャルデータに基づく映像を表示する表示部と、
を備え、
前記映像生成部は、前記左眼用映像データ列に基づく映像が表示されている全期間、前記シャッタ眼鏡の左眼用シャッタを開、右眼用シャッタを閉とさせ、前記右眼用映像データ列に基づく映像が表示されている全期間、前記シャッタ眼鏡の左眼用シャッタを閉、右眼用シャッタを開とさせる前記制御信号を生成することを特徴とする立体映像表示装置。
【請求項３】
前記画質低下部は、前記対象データにおける輪郭をぼかすことで、前記対象データの画質を低下させることを特徴とする請求項１または２に記載の立体映像表示装置。
【請求項４】
前記画質低下部は、前記対象データをフィルタに通過させて、前記対象データにおける輪郭をぼかすことを特徴とする請求項３に記載の立体映像表示装置。
【請求項５】
前記画質低下部は、前記対象データのコントラストのレンジを小さくすることで、前記対象データの画質を低下させることを特徴とする請求項１から４いずれか１項に記載の立体映像表示装置。
【請求項６】
両眼視差による立体映像を知覚させるための左眼用映像データと右眼用映像データとを取得するデータ取得ステップと、
取得した前記左眼用映像データを２回繰り返した左眼用映像データ列と、取得した前記右眼用映像データを２回繰り返した右眼用映像データ列とを交互に並べたシーケンシャルデータを生成すると共に、前記シーケンシャルデータに基づいて、シャッタ眼鏡の開閉を制御する制御信号を生成する映像生成ステップと、
前記シーケンシャルデータのうち、前記左眼用映像データおよび前記右眼用映像データの切り換えの後の１フレームに対応するフレームデータである対象データに対して、画質を低下させる処理を行う画質低下ステップと、
前記対象データの画質を低下させた後の前記フレームデータに基づく映像を表示する表示ステップと、
を備え、
前記映像生成ステップにおいて、前記左眼用映像データ列に基づく映像が表示されている全期間、前記シャッタ眼鏡の左眼用シャッタを開、右眼用シャッタを閉とさせ、前記右眼用映像データ列に基づく映像が表示されている全期間、前記シャッタ眼鏡の左眼用シャッタを閉、右眼用シャッタを開とさせる前記制御信号を生成することを特徴とする立体映像表示方法。
【請求項７】
両眼視差による立体映像を知覚させるための左眼用映像データと右眼用映像データとを取得するデータ取得ステップと、
取得した前記左眼用映像データを２回繰り返した左眼用映像データ列と、取得した前記右眼用映像データを２回繰り返した右眼用映像データ列とを交互に並べたシーケンシャルデータを生成すると共に、前記シーケンシャルデータに基づいて、シャッタ眼鏡の開閉を制御する制御信号を生成する映像生成ステップと、
前記シーケンシャルデータのうち、前記左眼用映像データおよび前記右眼用映像データの切り換えの前の１フレームに対応するフレームデータである対象データに対して、画質を低下させる処理を行う画質低下ステップと、
前記対象データの画質を低下させた後の前記フレームデータに基づく映像を表示する表示ステップと、
を備え、
前記映像生成ステップにおいて、前記左眼用映像データ列に基づく映像が表示されている全期間、前記シャッタ眼鏡の左眼用シャッタを開、右眼用シャッタを閉とさせ、前記右眼用映像データ列に基づく映像が表示されている全期間、前記シャッタ眼鏡の左眼用シャッタを閉、右眼用シャッタを開とさせる前記制御信号を生成することを特徴とする立体映像表示方法。
【発明の詳細な説明】
【技術分野】
【０００１】
本発明は、シャッタ眼鏡を介して立体映像として知覚される映像を表示する立体映像表示装置および立体映像表示方法に関する。
【背景技術】
【０００２】
近年、両眼視差のある左右２つの映像データ（左眼用映像データおよび右眼用映像データ）の映像を、表示部に所定のフレーム周期で交互に表示し、シャッタ眼鏡を装着したユーザに対して立体映像を知覚させる立体映像技術が脚光を浴びている。
【０００３】
シャッタ眼鏡は、映像データの所定のフレーム周期と同期して開閉する２つのシャッタを有し、表示部に左眼用映像データに基づく左眼用映像が表示されている期間は、左眼用シャッタを開き、右眼用シャッタを閉じる。一方、シャッタ眼鏡は、表示部に右眼用映像データに基づく右眼用映像が表示されている期間は、右眼用シャッタを開き、左眼用シャッタを閉じる構成となっている（例えば、特許文献１、２）。
【先行技術文献】
【特許文献】
【０００４】
【特許文献１】特開平８−３２７９６１号公報
【特許文献２】特開平６−１７８３２５号公報
【発明の概要】
【発明が解決しようとする課題】
【０００５】
左眼用映像および右眼用映像を交互に表示する場合、表示部の映像の切換速度に限界があることから、左眼用映像と右眼用映像のうち、一方の映像の一部が残像として残り、他方の映像に混入して表示される、所謂クロストークが発生する。クロストークが発生すると、ユーザには被写体などの輪郭が二重に視認されたりして、見難い映像となってしまう。
【０００６】
そこで、同じフレームの左眼用映像と同じフレームの右眼用映像を、それぞれ複数回ずつ連続して表示する構成が実施されている。例えば、左眼用映像から右眼用映像に切り換わり、右眼用映像に左眼用映像の一部が混入するクロストークが発生した場合であっても、すぐに同じフレームの右眼用映像を再表示させる。すると、例えば液晶モニタの場合、同じフレームの映像を表示させる電圧などが複数回印加される。そのため、１回しか印加しない場合に比べ、右眼用映像に混入した左眼用映像が、完全に右眼用映像に切り換わるのに要する時間を短縮できる。しかし、左眼用映像から右眼用映像、または、右眼用映像から左眼用映像に切り換った直後には、短時間であってもクロストークが残ってしまう。
【０００７】
そこで、クロストークが発生している映像が表示されている期間、シャッタ眼鏡の２つのシャッタを左右ともに閉じておくことで、クロストークの影響を抑制する技術が知られている。また、クロストークが発生している映像が表示されている期間、バックライトを消灯する対策が採られることもある。しかし、いずれの場合も、左眼用映像と右眼用映像を視認できる時間が短くなり、ひいては知覚される映像の明るさが低下してしまう。
【０００８】
そこで、本発明は、このような課題に鑑み、映像の明るさを低下させることなく、左眼用映像と右眼用映像とのクロストークを低減して視認性の向上を図ることが可能な立体映像表示装置および立体映像表示方法を提供することを目的としている。
【課題を解決するための手段】
【０００９】
上記課題を解決するために、本発明の立体映像表示装置は、両眼視差による立体映像を知覚させるための左眼用映像データと右眼用映像データとを取得するデータ取得部と、取得された左眼用映像データを２回繰り返した左眼用映像データ列と、取得された右眼用映像データを２回繰り返した右眼用映像データ列とを交互に並べたシーケンシャルデータを生成すると共に、シーケンシャルデータに基づいて、シャッタ眼鏡の開閉を制御する制御信号を生成する映像生成部と、シーケンシャルデータのうち、左眼用映像データおよび右眼用映像データの切り換えの後の１フレームに対応するフレームデータである対象データに対して、画質を低下させる処理を行う画質低下部と、対象データの画質を低下させた後のシーケンシャルデータに基づく映像を表示する表示部と、を備え、映像生成部は、左眼用映像データ列に基づく映像が表示されている全期間、シャッタ眼鏡の左眼用シャッタを開、右眼用シャッタを閉とさせ、右眼用映像データ列に基づく映像が表示されている全期間、シャッタ眼鏡の左眼用シャッタを閉、右眼用シャッタを開とさせる制御信号を生成することを特徴とする。
【００１０】
上記課題を解決するために、本発明の他の立体映像表示装置は、両眼視差による立体映像を知覚させるための左眼用映像データと右眼用映像データとを取得するデータ取得部と、取得された左眼用映像データを２回繰り返した左眼用映像データ列と、取得された右眼用映像データを２回繰り返した右眼用映像データ列とを交互に並べたシーケンシャルデータを生成すると共に、シーケンシャルデータに基づいて、シャッタ眼鏡の開閉を制御する制御信号を生成する映像生成部と、シーケンシャルデータのうち、左眼用映像データおよび右眼用映像データの切り換えの前の１フレームに対応するフレームデータである対象データに対して、画質を低下させる処理を行う画質低下部と、対象データの画質を低下させた後のシーケンシャルデータに基づく映像を表示する表示部と、を備え、映像生成部は、左眼用映像データ列に基づく映像が表示されている全期間、シャッタ眼鏡の左眼用シャッタを開、右眼用シャッタを閉とさせ、右眼用映像データ列に基づく映像が表示されている全期間、シャッタ眼鏡の左眼用シャッタを閉、右眼用シャッタを開とさせる制御信号を生成することを特徴とする。
【００１１】
画質低下部は、対象データにおける輪郭をぼかすことで、対象データの画質を低下させてもよい。
【００１２】
画質低下部は、対象データをフィルタに通過させて、対象データにおける輪郭をぼかしてもよい。
【００１３】
画質低下部は、対象データのコントラストのレンジを小さくすることで、対象データの画質を低下させてもよい。
【００１５】
上記課題を解決するために、本発明の立体映像表示方法は、両眼視差による立体映像を知覚させるための左眼用映像データと右眼用映像データとを取得するデータ取得ステップと、取得した左眼用映像データを２回繰り返した左眼用映像データ列と、取得した右眼用映像データを２回繰り返した右眼用映像データ列とを交互に並べたシーケンシャルデータを生成すると共に、シーケンシャルデータに基づいて、シャッタ眼鏡の開閉を制御する制御信号を生成する映像生成ステップと、シーケンシャルデータのうち、左眼用映像データおよび右眼用映像データの切り換えの後の１フレームに対応するフレームデータである対象データに対して、画質を低下させる処理を行う画質低下ステップと、対象データの画質を低下させた後のシーケンシャルデータに基づく映像を表示する表示ステップと、を備え、映像生成ステップにおいて、左眼用映像データ列に基づく映像が表示されている全期間、シャッタ眼鏡の左眼用シャッタを開、右眼用シャッタを閉とさせ、右眼用映像データ列に基づく映像が表示されている全期間、シャッタ眼鏡の左眼用シャッタを閉、右眼用シャッタを開とさせる制御信号を生成することを特徴とする。
【００１６】
上記課題を解決するために、本発明の他の立体映像表示方法は、両眼視差による立体映像を知覚させるための左眼用映像データと右眼用映像データとを取得するデータ取得ステップと、取得した左眼用映像データを２回繰り返した左眼用映像データ列と、取得した右眼用映像データを２回繰り返した右眼用映像データ列とを交互に並べたシーケンシャルデータを生成すると共に、シーケンシャルデータに基づいて、シャッタ眼鏡の開閉を制御する制御信号を生成する映像生成ステップと、シーケンシャルデータのうち、左眼用映像データおよび右眼用映像データの切り換えの前の１フレームに対応するフレームデータである対象データに対して、画質を低下させる処理を行う画質低下ステップと、対象データの画質を低下させた後のシーケンシャルデータに基づく映像を表示する表示ステップと、を備え、映像生成ステップにおいて、左眼用映像データ列に基づく映像が表示されている全期間、シャッタ眼鏡の左眼用シャッタを開、右眼用シャッタを閉とさせ、右眼用映像データ列に基づく映像が表示されている全期間、シャッタ眼鏡の左眼用シャッタを閉、右眼用シャッタを開とさせる制御信号を生成することを特徴とする。
【発明の効果】
【００１７】
本発明によれば、映像の明るさを低下させることなく、左眼用映像と右眼用映像とのクロストークを低減して視認性の向上を図ることが可能となる。
【図面の簡単な説明】
【００１８】
【図１】第１の実施形態における立体映像表示システムの概略的な接続関係を示した説明図である。
【図２】第１の実施形態における立体映像表示装置の概略的な接続関係を示した機能ブロック図である。
【図３】第１の実施形態におけるシャッタ眼鏡の概略的な接続関係を示した機能ブロック図である。
【図４】画質低下処理について説明するための説明図である。
【図５】第１の実施形態における表示部に表示される映像と、シャッタ眼鏡の開閉タイミングを説明するための説明図である。
【図６】比較例における表示部に表示される映像と、シャッタ眼鏡の開閉タイミングを説明するための説明図である。
【図７】変形例を説明するための説明図である。
【図８】変形例における表示部に表示される映像と、シャッタ眼鏡の開閉タイミングを説明するための説明図である。
【図９】第１の実施形態における立体映像表示方法の全体的な流れを示したフローチャートである。
【図１０】第２の実施形態における立体映像表示装置の概略的な接続関係を示した機能ブロック図である。
【図１１】第２の実施形態における表示部に表示される映像と、シャッタ眼鏡の開閉タイミングを説明するための説明図である。
【図１２】第２の実施形態における立体映像表示方法の全体的な流れを示したフローチャートである。
【発明を実施するための形態】
【００１９】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
（第１の実施形態：立体映像表示システム１００）
図１は、第１の実施形態における立体映像表示システム１００の概略的な接続関係を示した説明図である。図１に示すように、立体映像表示システム１００は、映像再生装置１０２と、立体映像表示装置１１０と、シャッタ眼鏡１２０とを含んで構成される。
【００２１】
映像再生装置１０２は、両眼視差を有する２つの映像データである立体映像データ（左眼用映像データおよび右眼用映像データ）を、サイドバイサイド方式、トップアンドボトム方式、ラインバイライン方式、フレームシーケンシャル方式等の立体映像を知覚させるための所定の方式で、立体映像表示装置１１０に出力する。
【００２２】
立体映像表示装置１１０は、例えば、液晶パネル方式の表示装置であって、映像再生装置１０２から出力された、様々な方式の立体映像データに基づく左眼用映像と右眼用映像とを順次表示し、シャッタ眼鏡１２０を通じて視認させるフレームシーケンシャル方式で表示部に表示する。
【００２３】
ユーザ１３０がシャッタ眼鏡１２０を装着し、シャッタ眼鏡１２０が、立体映像表示装置１１０とユーザ１３０の眼の間に位置した状態で、シャッタ眼鏡１２０は、右眼用シャッタと左眼用シャッタを開閉することで、ユーザ１３０の左眼に左眼用映像を視認させ、ユーザ１３０の右眼に右眼用映像を視認させる。こうして、ユーザ１３０は、映像を立体的に知覚することができる。
【００２４】
続いて、立体映像表示装置１１０およびシャッタ眼鏡１２０の具体的な構成について説明する。
【００２５】
（立体映像表示装置１１０）
図２は、第１の実施形態における立体映像表示装置１１０の概略的な接続関係を示した機能ブロック図である。図２に示すように、立体映像表示装置１１０は、データ取得部１５０と、バッファメモリ１５２と、映像生成部１５４と、画質低下部１５６と、表示部１５８と、制御出力部１６０とを含んで構成される。
【００２６】
データ取得部１５０は、立体映像を知覚させるための右眼用映像と左眼用映像を形成するデータである立体映像データ（右眼用映像データと左眼用映像データ）を、例えば映像再生装置１０２から取得する。
【００２７】
バッファメモリ１５２は、ＲＡＭ、フラッシュメモリ、ＨＤＤ等を含んで構成され、データ取得部１５０で取得された立体映像データを一時的に保持する。
【００２８】
映像生成部１５４は、バッファメモリ１５２から立体映像データを順次読み出し、立体映像データを構成する左眼用映像データと右眼用映像データそれぞれについて、１フレームに対応するフレームデータを所定数、本実施形態においては３回繰り返して左眼用映像データ列と右眼用映像データ列を生成する。
【００２９】
そして、映像生成部１５４は、左眼用映像データ列と右眼用映像データ列とを交互に並べたシーケンシャルデータを生成する。また、映像生成部１５４は、生成したシーケンシャルデータに基づいて、シャッタ眼鏡１２０の開閉を制御する制御信号を生成する。
【００３０】
画質低下部１５６は、フィルタで構成され、生成されたシーケンシャルデータのうち、左眼用映像データおよび右眼用映像データの切り換えの前および後のいずれか一方または両方のフレームデータである対象データに対して、フィルタリングを施すことで画質を低下させる画質低下処理を行う。画質低下部１５６による画質低下処理については後に詳述する。
【００３１】
表示部１５８は、例えば、液晶パネルで構成され、対象データの画質を低下させた後のシーケンシャルデータに基づいて、両眼視差を有する右眼用映像と左眼用映像とを順次表示する。
【００３２】
制御出力部１６０は、シーケンシャルデータのフレーム周期に基づいて、シャッタ眼鏡１２０の左右のシャッタ（後述する左眼用シャッタ２２４と右眼用シャッタ２２６）それぞれの開閉タイミングを制御する制御信号を生成し、ＩｒＤＡ（Infrared Data Association）規格の赤外線等の無線通信を通じてシャッタ眼鏡１２０に出力する。
【００３３】
（シャッタ眼鏡１２０）
図３は、第１の実施形態におけるシャッタ眼鏡１２０の概略的な接続関係を示した機能ブロック図である。図３に示すように、シャッタ眼鏡１２０は、制御取得部２２０と、シャッタ制御部２２２と、左眼用シャッタ２２４と、右眼用シャッタ２２６とを含んで構成される。
【００３４】
制御取得部２２０は、制御出力部１６０が出力した制御信号を取得する。シャッタ制御部２２２は、制御取得部２２０が取得した制御信号に応じて右眼用シャッタ２２６および左眼用シャッタ２２４の開閉タイミングを制御する。
【００３５】
右眼用シャッタ２２６は、ユーザ１３０がシャッタ眼鏡１２０を装着した場合、右眼の前方に位置して右眼に入射する光路を開閉する。左眼用シャッタ２２４は、ユーザ１３０がシャッタ眼鏡１２０を装着した場合、左眼の前方に位置して左眼に入射する光路を開閉する。
【００３６】
以上、立体映像表示装置１１０およびシャッタ眼鏡１２０の概略的な構成について説明した。続いて、本実施形態において特徴的な画質低下処理について詳述した後、比較例と対比させながら立体映像表示装置１１０の効果を説明する。
【００３７】
図４は、画質低下処理について説明するための説明図である。図４（ａ）の概念図に示すように、画質低下部１５６は、複数（本実施形態においては７つ）のシフトレジスタＸ（１）〜Ｘ（７）を備えたフィルタで構成される。
【００３８】
それぞれのシフトレジスタＸ（１）〜Ｘ（７）に関し、重み付け係数として、シフトレジスタＸ（１）には０．１、シフトレジスタＸ（２）には０．２、シフトレジスタＸ（３）には０．３、シフトレジスタＸ（４）には０．４、シフトレジスタＸ（５）には０．３、シフトレジスタＸ（６）には０．２、シフトレジスタＸ（７）には０．１、が割り当てられている。ここでは、任意の１画素に関して、その画素の左右隣接する３画素分（合わせて７画素分）の画素値を読み出し、上記の重み付けを行って均す。そして、その均した値が任意の１画素の画質低下処理後の画素値となる。
【００３９】
画質低下部１５６は、シーケンシャルデータのうち、本実施形態においては、左眼用映像データおよび右眼用映像データの切り換えの前および後の両方のフレームデータを対象データとし、読み出した画素値を、随時、シフトレジスタＸ（１）〜Ｘ（７）に記憶する。したがって、７つの画素値を記憶した時点で、最初に記憶した画素値がＸ（７）に、最後に記憶した画素値がＸ（１）に記憶されている。ここで、画質低下部１５６による処理の対象となる画素値は、例えば、画素ごとの輝度値などである。
【００４０】
こうして、画質低下部１５６は、シフトレジスタＸ（１）〜Ｘ（７）まで、対象データの画素値を１画素分ずつ記憶させている。その結果、シフトレジスタＸ（１）に近いほうが新しい（時間的に後に入力された）画素値が記憶され、シフトレジスタＸ（７）に近いほうが古い（時間的に先に入力された）画素値が記憶された状態となる。
【００４１】
そして、画質低下部１５６は、シフトレジスタＸ（１）〜Ｘ（７）にそれぞれ割り当てられた重み付け係数を乗算し、乗算後の画素値を合算して、１．６で除算する。そして、画質低下部１５６は、除算値をシフトレジスタＸ（４）に対応する画素の画質低下処理後の画素値として出力する。
【００４２】
続いて、シフトレジスタＸ（７）のデータは削除され、シフトレジスタＸ（１）〜（６）に記憶された画素値は、それぞれ、シフトレジスタＸ（２）〜（７）に、順次繰り上げられる。また、シフトレジスタＸ（１）には、新しい１画素分、画素値が記憶される。
【００４３】
図４（ｂ）には、画質低下部１５６へ入力される前後の対象データについて、画素値の波形イメージ２６０ａ、２６０ｂを示す。上述した重み付け係数の乗算からデータの繰り上げまでの処理を繰り返すと、出力される画素値（シフトレジスタＸ（４）に記憶された画素値）が前後の画素値に近づく。
【００４４】
そのため、画素値の急激な変化が緩和され、図４（ｂ）の波形イメージ２６０ａから波形イメージ２６０ｂへと、なめらかに画素値が変化するようになる。すなわち、画質低下部１５６は、高周波成分を除外し、低周波成分を通過させるデジタルフィルタとして機能する。ここでは、画質低下部１５６がデジタルフィルタの場合について説明したが、画質低下部１５６は、アナログフィルタであってもよい。
【００４５】
このように、デジタルフィルタとして機能する画質低下部１５６を通過すると、対象データが示す映像は、被写体の輪郭近傍など、画素値が急激に変化する部分において変化がなだらかとなり、ぼけたものとなる。すなわち、画質低下部１５６は、対象データにおける輪郭をぼかすことで、対象データの画質を低下させる（画質低下処理）。
【００４６】
画質低下部１５６を、フィルタとして機能させる構成により、対象データの画質低下処理を、単にフィルタに通過させるのみで遂行でき、複雑な制御などが不要となり、立体映像表示装置１１０の製造コストを低減することが可能となる。
【００４７】
図５は、第１の実施形態における表示部１５８に表示される映像と、シャッタ眼鏡１２０の開閉タイミングを説明するための説明図であり、図６は、比較例における表示部に表示される映像と、シャッタ眼鏡の開閉タイミングを説明するための説明図である。
【００４８】
表示部１５８に表示される映像（以下、表示映像と称す）は、左眼用映像および右眼用映像の切り換えの後、左眼用映像と右眼用映像のうち、一方の映像の一部が残像として残り他方の映像に混入して表示される、所謂クロストークが発生する。クロストークが発生すると、ユーザ１３０には被写体などの輪郭が二重に視認されたりして、見難い映像となってしまう。
【００４９】
このクロストークをユーザ１３０に視認させないように、図６に示す比較例においては、同じ１フレーム分の左眼用映像を２回、同じ１フレーム分の右眼用映像を２回表示させ、クロストークが発生している映像が表示されている間は、シャッタ眼鏡の左眼用シャッタと右眼用シャッタの両方を閉じる。
【００５０】
このような比較例の構成では、左眼用シャッタおよび右眼用シャッタそれぞれについて、開いている時間が閉じている時間の１／３となってしまう。すなわち、左眼用シャッタおよび右眼用シャッタは、それぞれ、全体の３／４の時間は閉じていることとなり、暗い映像として視認されてしまう。
【００５１】
本実施形態においては、図５に示すように、左眼用映像および右眼用映像の切り換えの前および後の両方のフレームデータを対象データとして、画質低下部１５６が上述した画質低下処理、すなわち、対象データの輪郭をぼかす処理を施す。すると、左眼用映像および右眼用映像の切り換えの直前の映像（以下、前映像と称す）および直後の映像（以下、後映像と称す）がぼけるため、クロストークが目立たなくなる。そのため、シャッタ眼鏡１２０で当該映像を遮蔽する必要がなくなる。
【００５２】
そこで、映像生成部１５４は、左眼用映像データについて、３回繰り返されたフレームデータ（左眼用映像データ列）に基づく映像が表示されている全期間、シャッタ眼鏡１２０の左眼用シャッタ２２４を開、右眼用シャッタ２２６を閉とさせ、右眼用映像データについて、３回繰り返されたフレームデータ（右眼用映像データ列）に基づく映像が表示されている全期間、シャッタ眼鏡１２０の左眼用シャッタ２２４を閉、右眼用シャッタ２２６を開とさせる制御信号を生成する。
【００５３】
そして、シャッタ眼鏡１２０のシャッタ制御部２２２は、この制御信号に従い、左眼用映像データについて、３回繰り返されたフレームデータに基づく映像が表示されている全期間、シャッタ眼鏡１２０の左眼用シャッタ２２４を開、右眼用シャッタ２２６を閉とさせ、右眼用映像データについて、３回繰り返されたフレームデータに基づく映像が表示されている全期間、シャッタ眼鏡１２０の左眼用シャッタ２２４を閉、右眼用シャッタ２２６を開とさせる。
【００５４】
そのため、立体映像表示装置１１０は、左眼用シャッタ２２４および右眼用シャッタ２２６それぞれについて、全期間の半分の時間を開かせることができ、映像の明るさを低下させることなく、左眼用映像と右眼用映像とのクロストークを低減し、映像の視認性を向上することができる。
【００５５】
（変形例）
図７は、変形例を説明するための説明図であり、図７（ａ）は、変形例における画質低下部２５６の構成を説明するための機能ブロックである。図７（ａ）に示すように、画質低下部２５６は、ＡＰＬ検出部２５６ａと、ゲイン乗算部２５６ｂとを備えて構成される。
【００５６】
ＡＰＬ検出部２５６ａは、映像生成部１５４から出力されたシーケンシャルデータのうち、対象データについて、平均画像レベル（ＡＰＬ：Average Picture Level）を算出する。
【００５７】
ゲイン乗算部２５６ｂは、画素値それぞれと平均画像レベルとの差分に１未満のゲインを乗算する。そして、ゲイン乗算部２５６ｂは、その乗算値に平均画像レベルを加算する。こうして、ゲイン乗算部２５６ｂは、ＡＰＬ検出部２５６ａが算出した平均画像レベルを中心として、画素値のレンジを縮小する。その後、ゲイン乗算部２５６ｂは、レンジを縮小した対象データを含め、シーケンシャルデータを表示部１５８に出力する。
【００５８】
図７（ｂ）は、ゲイン乗算部２５６ｂへ入力される前後の対象データについて、画素値の波形イメージ２７０ａ、２７０ｂを示す。波形イメージ２７０ａに対し、ゲイン乗算部２５６ｂを通過した波形イメージ２７０ｂは、ＡＰＬ２７２を中心とした振幅が小さくなっている。換言すれば、ゲイン乗算部２５６ｂを通過することで、対象データの画素値は、変化幅が小さくなる。
【００５９】
このように、画質低下部２５６を通過すると、対象データが示す映像は、画素値、例えば、輝度値のレンジが狭くなる。すなわち、画質低下部２５６は、対象データのコントラストのレンジを小さくすることで、対象データの画質を低下させる（画質低下処理）。
【００６０】
図８は、変形例における表示部１５８に表示される映像と、シャッタ眼鏡１２０の開閉タイミングを説明するための説明図である。
【００６１】
図８に示すように、左眼用映像および右眼用映像の切り換えの前および後の両方のフレームデータを対象データとして、画質低下部２５６が上述した画質低下処理、すなわち、対象データのコントラストのレンジを小さくする処理を施す。
【００６２】
すると、前映像および後映像は、コントラストが低下するため、クロストークが目立たなくなり、シャッタ眼鏡１２０で当該映像を遮蔽する必要がなくなる。こうして、左眼用シャッタ２２４および右眼用シャッタ２２６それぞれについて、全期間の半分の時間を開かせることができ、映像の明るさを低下させることなく、左眼用映像と右眼用映像とのクロストークを低減し、映像の視認性を向上することができる。
【００６３】
（立体映像表示方法）
次に、上述した立体映像表示装置１１０を用いて、シーケンシャルデータを表示する立体映像表示方法を説明する。図９は、第１の実施形態における立体映像表示方法の全体的な流れを示したフローチャートである。図９に示す処理は、立体映像表示装置１１０がシーケンシャルデータの表示を指示されている間、所定周期で繰り返し実行される。
【００６４】
データ取得部１５０は、立体映像データを１フレーム分（左眼用映像データと右眼用映像データをそれぞれ１フレーム分）、例えば映像再生装置１０２から取得しバッファメモリ１５２に記憶させる（Ｓ３００）。映像生成部１５４は、バッファメモリ１５２から立体映像データを１フレーム分読み出し、立体映像データを構成する左眼用映像データと右眼用映像データそれぞれについて、１フレームに対応するフレームデータを３回繰り返して左眼用映像データ列と右眼用映像データ列を生成する（Ｓ３０２）。
【００６５】
映像生成部１５４は、連続する左眼用映像データ列と連続する右眼用映像データ列とを交互に並べたシーケンシャルデータを生成する（Ｓ３０４）。また、映像生成部１５４は、生成したシーケンシャルデータに基づいて、シャッタ眼鏡１２０の開閉を制御する制御信号を生成する（Ｓ３０６）。制御出力部１６０は、生成された制御信号を、随時、シャッタ眼鏡１２０に出力する。
【００６６】
そして、画質低下部１５６は、シーケンシャルデータから、並び順に、１つのフレームデータを選択し（Ｓ３０８）、選択したフレームデータが、左眼用映像データおよび右眼用映像データの切り換えの前または後のいずれかの位置にあたるか否か（対象データであるか否か）を判定する（Ｓ３１０）。
【００６７】
対象データである場合（Ｓ３１０におけるＹＥＳ）、画質低下部１５６は、画質低下処理を施す（Ｓ３１２）。対象データでない場合（Ｓ３１０におけるＮＯ）、画質低下処理は施されない。
【００６８】
続いて、画質低下部１５６は、フレームデータを、対象データであれば画質低下処理を施した後、対象データでなければそのまま、表示部１５８に出力する（Ｓ３１４）。表示部１５８は、出力されたシーケンシャルデータに基づいて、右眼用映像または左眼用映像を表示する（Ｓ３１６）。
【００６９】
そして、画質低下部１５６は、立体映像データの１フレーム分（左眼用映像データと右眼用映像データをそれぞれ１フレーム分）について、すべてのフレームデータが選択されたか否かを判定する（Ｓ３１８）。まだ、未選択のフレームデータが残っている場合（Ｓ３１８におけるＮＯ）、フレームデータ選択ステップＳ３０８に処理を移す。すべてのフレームデータが選択された場合（Ｓ３１８におけるＹＥＳ）、立体映像データ取得ステップＳ３００に処理を移す。
【００７０】
かかる立体映像表示方法によっても、映像の明るさを低下させることなく、左眼用映像と右眼用映像とのクロストークを低減し、映像の視認性を向上することができる。
【００７１】
（第２の実施形態）
上述した第１の実施形態では、同じ左眼用映像および同じ右眼用映像をそれぞれ３回続けて表示部１５８に表示する立体映像表示装置１１０について説明した。第２の実施形態では、同じ左眼用映像および同じ右眼用映像をそれぞれ２回続けて表示部１５８に表示する立体映像表示装置４１０について説明する。なお、立体映像表示装置４１０と共に立体映像表示システムを構成するシャッタ眼鏡１２０については、上述した第１の実施形態のシャッタ眼鏡１２０と実質的に機能が等しいので重複説明を省略する。
【００７２】
（立体映像表示装置４１０）
図１０は、第２の実施形態における立体映像表示装置４１０の概略的な接続関係を示した機能ブロック図である。図１０に示すように、立体映像表示装置４１０は、データ取得部１５０と、バッファメモリ１５２と、映像生成部４５４と、画質低下部４５６と、表示部１５８と、制御出力部１６０とを含んで構成される。第１の実施形態における構成要素としてすでに述べた、データ取得部１５０、バッファメモリ１５２、表示部１５８、制御出力部１６０は、実質的に機能が同一なので重複説明を省略する。
【００７３】
映像生成部４５４は、バッファメモリ１５２から立体映像データを順次読み出し、立体映像データを構成する左眼用映像データと右眼用映像データそれぞれについて、１フレームに対応するフレームデータを２回繰り返して左眼用映像データ列と右眼用映像データ列を生成する。
【００７４】
そして、映像生成部４５４は、連続する左眼用映像データ列と連続する右眼用映像データ列とを交互に並べたシーケンシャルデータを生成する。また、映像生成部４５４は、生成したシーケンシャルデータに基づいて、シャッタ眼鏡１２０の開閉を制御する制御信号を生成する。
【００７５】
画質低下部４５６は、フィルタで構成され、生成されたシーケンシャルデータのうち、対象データに対して、フィルタリングを施すことで画質を低下させる画質低下処理を行う。上述した第１の実施形態では、対象データは、左眼用映像データおよび右眼用映像データの切り換えの前および後の両方のフレームデータであったが、本実施形態においては、対象データは、左眼用映像データおよび右眼用映像データの切り換えの後のフレームデータである。
【００７６】
図１１は、第２の実施形態における表示部１５８に表示される映像と、シャッタ眼鏡１２０の開閉タイミングを説明するための説明図である。
【００７７】
図１１に示すように、左眼用映像および右眼用映像の切り換え後のフレームデータを対象データとして、画質低下部４５６が、画質低下部１５６と同様の画質低下処理、すなわち、対象データの輪郭をぼかす処理を施す。すると、後映像がぼけるため、クロストークが目立たなくなる。そのため、シャッタ眼鏡１２０で当該映像を遮蔽する必要がなくなる。
【００７８】
そこで、映像生成部４５４は、左眼用映像データについて、２回繰り返されたフレームデータに基づく映像が表示されている全期間、シャッタ眼鏡１２０の左眼用シャッタ２２４を開、右眼用シャッタ２２６を閉とさせ、右眼用映像データについて、２回繰り返されたフレームデータに基づく映像が表示されている全期間、シャッタ眼鏡１２０の左眼用シャッタ２２４を閉、右眼用シャッタ２２６を開とさせる制御信号を生成する。シャッタ眼鏡１２０のシャッタ制御部２２２は、この制御信号に従って、左眼用シャッタ２２４および右眼用シャッタ２２６を開閉させる。
【００７９】
このように、立体映像表示装置４１０は、左眼用シャッタ２２４および右眼用シャッタ２２６それぞれについて、全期間の半分の時間を開かせることができ、映像の明るさを低下させることがない。
【００８０】
第２の実施形態では、前映像はぼけず、後映像に混入する（クロストークの）映像もぼけない。第１の実施形態では、前映像もぼけており、後映像に混入する映像もぼけていた。そのため、第２の実施形態より、第１の実施形態の方が、後映像のクロストークは目立ち難い。
【００８１】
しかし、第２の実施形態でも、後映像においては、映像全体がぼけているため、画質低下処理を施さない場合よりはクロストークが目立ち難い。また、第１の実施形態では、左眼用映像データおよび右眼用映像データそれぞれについて、同じフレームデータに基づく映像を３回連続して表示しなければならない。しかし、本実施形態では、同じフレームデータを２回連続して表示すればよく、立体映像表示装置４１０の処理負荷を低減できる。
【００８２】
また、画質低下部４５６は、左眼用映像および右眼用映像の切り換えの後のフレームデータを対象データとして画質低下処理を施すため、表示部１５８には、画質低下処理を施した映像の後、同じフレームで、画質低下処理を施していない明瞭な映像が再表示される。この場合、後に表示された映像の方が支配的に視認されるため、立体映像表示装置４１０は、ユーザ１３０に明瞭な映像を視認させつつ、クロストークを目立ち難くすることができる。
【００８３】
本実施形態では、画質低下部４５６は、左眼用映像および右眼用映像の切り換えの後のフレームデータを対象データとしたが、左眼用映像および右眼用映像の切り換えの前のフレームデータを対象データとしてもよい。この場合、前映像がぼけた映像となり、後映像に混入する映像もぼけている。そのため、後映像のクロストークを効果的に目立ち難くすることができる。
【００８４】
（立体映像表示方法）
次に、上述した立体映像表示装置４１０を用いて、シーケンシャルデータを表示する立体映像表示方法を説明する。図１２は、第２の実施形態における立体映像表示方法の全体的な流れを示したフローチャートである。第１の実施形態と同様、図１２に示す処理は、立体映像表示装置４１０がシーケンシャルデータの表示を指示されている間、所定のフレーム周期で繰り返し実行される。
【００８５】
データ取得部１５０は、立体映像データを１フレーム分、例えば映像再生装置１０２から取得しバッファメモリ１５２に記憶させる（Ｓ３００）。映像生成部４５４は、バッファメモリ１５２から立体映像データを１フレーム分読み出し、立体映像データを構成する左眼用映像データと右眼用映像データそれぞれについて、１フレームに対応するフレームデータを２回繰り返して左眼用映像データ列と右眼用映像データ列を生成する（Ｓ５０２）。
【００８６】
映像生成部４５４は、連続する左眼用映像データ列と連続する右眼用映像データ列とを交互に並べたシーケンシャルデータを生成する（Ｓ５０４）。
【００８７】
以下、制御信号生成ステップＳ３０６から、フレームデータ選択ステップＳ３０８までの処理は、第１の実施形態で説明した処理と実質的に等しいため、同一の符号を付して説明を省略する。
【００８８】
そして、画質低下部４５６は、選択したフレームデータが、左眼用映像データおよび右眼用映像データの切り換えの後のフレームデータであるか否か（対象データであるか否か）を判定する（Ｓ５１０）。
【００８９】
以下、画質低下処理ステップＳ３１２から、フレーム終了判定ステップＳ３１８までの処理は、第１の実施形態で説明した処理と実質的に等しいため、同一の符号を付して説明を省略する。
【００９０】
かかる立体映像表示方法によっても、映像の明るさを低下させることなく、左眼用映像と右眼用映像とのクロストークを低減し、映像の視認性を向上することができる。
【００９１】
上述した第１の実施形態では、対象データとして、左眼用映像データおよび右眼用映像データの切り換えの前および後の両方の１フレームに対応するフレームデータを対象データとした。しかし、対象データは、左眼用映像データおよび右眼用映像データの切り換えの前および後のいずれか一方であってもよい。
【００９２】
また、上述した第２の実施形態では、画質低下部４５６は、対象データをフィルタに通過させて、対象データの被写体の輪郭をぼかす場合について説明したが、画質低下部は、画質低下部２５６と同様、対象データのコントラストのレンジを小さくしてもよい。
【００９３】
また、上述した第１の実施形態および第２の実施形態では、画質低下部１５６、４５６は、対象データをフィルタに通過させて、対象データの被写体の輪郭をぼかす場合について説明し、変形例では、画質低下部２５６は、対象データのコントラストのレンジを小さくする場合について説明したが、いずれの実施形態においても、画質低下部は、対象データをフィルタに通過させて、対象データの被写体の輪郭をぼかすとともに、対象データのコントラストのレンジを小さくしてもよい。この場合、画質低下部は、対象データに対して、ぼかす処理とコントラストのレンジを小さくする処理それぞれについて、いずれか一方の処理のみを施す場合に比べ、それぞれの処理の強度を弱くしても、十分にクロストークを低減できる。そのため、画質低下部は、画質低下処理による画質の低下を最小限に抑制することが可能となる。
【００９４】
なお、本明細書の立体映像表示方法の各工程は、必ずしもフローチャートとして記載された順序に沿って時系列に処理する必要はなく、並列的あるいはサブルーチンによる処理を含んでもよい。
【産業上の利用可能性】
【００９５】
本発明は、シャッタ眼鏡を介して立体映像として知覚される映像を表示する立体映像表示装置および立体映像表示方法に利用することができる。
【符号の説明】
【００９６】
４１０  …立体映像表示装置
１２０  …シャッタ眼鏡
１５０  …データ取得部
４５４  …映像生成部
４５６  …画質低下部
１５８  …表示部
２２４  …左眼用シャッタ
２２６  …右眼用シャッタ
【図１】
0005884562.tif 000002
【図２】
0005884562.tif 000003
【図３】
0005884562.tif 000004
【図４】
0005884562.tif 000005
【図６】
0005884562.tif 000006
【図７】
0005884562.tif 000007
【図９】
0005884562.tif 000008
【図１０】
0005884562.tif 000009
【図１２】
0005884562.tif 000010
【図５】
0005884562.tif 000011
【図８】
0005884562.tif 000012
【図１１】
0005884562.tif 000013